(57)【要約】      （修正有）【課題】設置の向き（縦・横）に関わらず、重量に応じた個数の押しピン、マグネット、両面テープ貼付台を簡単にセットでき、また装飾用の鎖を引っかけるためのフックを簡単にセットできる装飾・展示用品を提供する。【解決手段】「断面が略Ｍ字形で帯状に装飾・展示用品の幅程度に伸延させた形体の器体」を有し、器体は、略Ｍ字形の谷部分が固定具である押しピンの針部分を通すために長辺方向にスリット状となっており、かつ谷部分の底面からの距離が押しピンの円筒形の台座部分の厚みより短いが、器体の弾力性により長辺方向に押しピンをスライドして任意の場所で固定できる構造を有する。器体は、装飾・展示用品の裏面の縁に長辺が平行になり、かつ押しピンの針が装飾・展示用品を掲げる壁面に向く形で取り付けられる。【選択図】図３
0003230173.tif 000002
【実用新案登録請求の範囲】
【請求項１】
押しピンの円形部分を挟み込むようなかたちで押しピンを固定でき、押しピンの針の部分を手で持ってスライドさせることにより、複数個の押しピンをセットできる構造を有することを特徴とする装飾・展示用品。
【請求項２】
押しピンをスライド、固定できる構造（固定具のセット構造）を、装飾・展示用品の上下左右、合わせて４本装備することを特徴とした請求項１記載の装飾・展示用品の構造。
【考案の詳細な説明】
【技術分野】
【０００１】
本考案は、設置場所に合わせて簡単に設置可能な装飾・展示用品に関するものである。
【背景技術】
【０００２】
絵画、写真、色紙、ポスター等を設置・展示・掲示等の場所に設置する際、その方法として装飾用の鎖でつるす、押しピン等で固定する、両面テープで固定する、マグネットの吸着力を活用して固定する等、その設置方法は様々であるが、それぞれの設置方法に従って額縁・パネル等に事前に何らかの処理が必要であり、コスト・手間がかかっている。
【０００３】
特に、装飾用の鎖を使用するときには専用の取り付け具を額縁、パネル等に装着する必要がある場合があり、コスト・手間がかかっている。
【０００４】
また、取り外す際にも手間がかかり、マグネットを固定した両面テープの取り外し、直接固定のために使用した両面テープの取り外しのために手間がかかる。
また両面テープの取り外したところが汚くなることがある。
【先行技術文献】
【特許文献】
【０００５】
【特許文献１】特許番号  特許第3017728号（P3017728)
【考案の概要】
【考案が解決しようとする課題】
【０００６】
解決しようとする問題点は、以下の３点である。
１．固定具を押しピンのみに限定せずに対応できることが必要である。
２．設置対象物の重量に応じて任意に固定強度を調整できることが必要である。
３．特別なコスト・手間をかけずに誰でも簡単に対応できることが必要である。
【課題を解決するための手段】
【０００７】
本考案は、装飾・展示物（額縁、パネル等）の設置の向き（横・縦）に関わらず、装飾・展示物の重量に応じた個数の押しピン、マグネット、両面テープ貼付台を簡単にセットできること、また装飾用の鎖を引っかけるためのフックを簡単に装飾・展示物にセットできることを最も主要な特徴とする。
【考案の効果】
【０００８】
本考案の装飾・展示用品は、装飾用の鎖で設置する場合、押しピンを使用して設置する場合、マグネットの吸着力を活用して設置する場合、両面テープを使用して設置する場合等の設置環境に合わせて、装飾・展示用品の重量に応じてコストを掛けずに簡単に対応できるという利点がある。
【図面の簡単な説明】
【０００９】
【図１】図１は、設置具付き装飾・展示用品の裏面である。
【図２】図２は、図１の矢印の方向から斜め上よりみた固定具のセット構造（設置具の一部）の説明図である。
【図３】図３は、図２に示された固定具のセット構造に押しピンをセットする場合の説明図である。
【図４】図４は、固定具例で、左より押しピン、装飾用の鎖用のフック、マグネット付きフックを示した説明図である。
【図５】図５は、マグネット付きフックを裏側のマグネットが見える方向からみた説明図である。
【図６】図６は、図４の３種の固定具を実際のパネル裏面の固定具のセット構造にセットした説明図である。
【図７】図７は、両面テープを装飾・展示用品に直接貼り付けたくない、又は貼り付ける場所が無い場合に、この設置具付き装飾・展示用品の仕組みを活用して対応する場合の説明図である。
【考案を実施するための形態】
【００１０】
装飾・展示用品を、主な固定具（押しピン、マグネット、装飾用の鎖、両面テープ等）でコストをかけずしかも簡単に装飾・展示用品の重量に応じた固定ができる仕組みを実現した。
【実施例】
【００１１】
図１は、本考案用品の１実施例の裏面である。
図2は、図１に示した矢印方向の斜め上からみた固定具のセット構造図（設置具の一部）で、図３はそれに押しピンをセットする様子を示している。
実際には、押しピンをしっかりと固定するために、スリット（押しピンの針がでる部分）に近い固定部分の基底からの長さを、押しピンの円形部分の厚みより小さくし、押しピンをはめ込んだ後は、その保持部の弾力でしっかりと固定される。
【００１２】
設置具付き装飾・展示用品の裏面に作りつけられた固定具のセット構造（設置具の一部）は、装飾・展示用品を横向きに使用する場合または縦向きに使用する場合に、それぞれ地面に平行な1〜２本の構造が使用される。
【００１３】
図４及び図７に固定具の例を示す。
押しピンを固定具として使用するのと同様な方法で他の固定具も使用するため、押しピンの円形部分と同じものを使用し、それにフック、マグネット、マグネット付きフック、両面テープ貼付台等を一体化したものを固定具とする。
【００１４】
装飾・展示用品の重量に応じた、固定力を得るために、セットできる押しピンの数量、マグネット固定具の数量、両面テープ貼付台付きの固定具の数量が調整できる。
押しピンの円形部分の直径を１０ｍｍとすると、最大、装飾・展示用品の横サイズ（ｍｍ）を１０ｍｍで除した数の２倍（上下の構造を使用できる）程度の数の固定具をセットできる（マグネット固定具、両面テープ貼付台付き固定具に関しては、その幅を押しピンの円形部分の直径と同じものとした場合で、それよりも大きな場合は装飾・展示用品の横サイズ（ｍｍ）をその大きさで除した数となる）。
【００１５】
押しピン、マグネット、フック、両面テープ貼付台等の固定具は、繰り返し使用可能である。
【産業上の利用可能性】
【００１６】
本考案用品は、絵画用・色紙用額縁、フォトパネル、ポスター用パネル等様々な装飾・展示用品に適用可能である。
【符号の説明】
【００１７】
１    図１  設置具付き装飾・展示用品の裏面  
２    図２  固定具のセット構造図（設置具の一部）
３    図３  固定具のセット構造に押しピンをセットしようとしている図
４    図４  固定具の例（３種）
５    図５  マグネット付きフック例
６    図６  固定具のセット構造へのセット例
７    図７  両面テープ貼付台付き固定具例
【図１】
0003230173.tif 000003
【図２】
0003230173.tif 000004
【図３】
0003230173.tif 000005
【図４】
0003230173.tif 000006
【図５】
0003230173.tif 000007
【図６】
0003230173.tif 000008
【図７】
0003230173.tif 000009
【手続補正書】
【提出日】令和2年10月31日(2020.10.31)
【手続補正１】
【補正対象書類名】実用新案登録請求の範囲
【補正対象項目名】全文
【補正方法】変更
【補正の内容】
【実用新案登録請求の範囲】
【請求項１】
「断面が略M字形で帯状にその装飾・展示用品の幅程度に伸延させた形体の器体」を有し、その略M字形の谷部分が固定具である押しピンの針部分を通すために、その器体の長辺方向にスリット状となっており、かつ押しピンを固定させるためにその谷部分の器体底面からの距離が押しピンの円筒形の台座部分の厚みより短いがその器体の材質の弾力性を活かし、その器体の長辺方向に押しピンを指でスライドし、任意の場所で押しピンを固定できる押しピンのセット構造をその装飾・展示用品の裏面の縁にその器体の長辺が平行になり、かつ押しピンの針がその装飾・展示用品を掲げる壁面に向く形で備えていることを特徴とする装飾・展示用品。
【請求項２】
請求項１記載の押しピンのセット構造を、その装飾・展示品の裏面に略ロの字形に配置し、その四隅より押しピンの挿入が可能となるように「断面が略M字形で帯状にその装飾・展示用品の幅程度に伸延させた形体の器体」の両端を接合し、その装飾・展示用品を掲げる場所の床面と平行となった２本の器体の左右両方から押しピンの挿入が可能であり、装飾・展示用品の重量、使用する押しピンの針の長さ、設置する壁面の材質強度等に応じて、器体の長さに応じた最大限の数量の押しピンがセットできることを特徴とした、請求項１記載の装飾・展示用品。